(57)【要約】標準的方法でプロセッサ１８およびメモリ２０に動作可能に接続された送／受信回路１６に接続されているアンテナ１４を備えたハンドセット１２を含む移動無線通信装置１０が提供される。さらに、ハンドセット１２は、国別に、各国ごとに採用される好ましい手動ＰＬＭＮ選択モードを示した優先リストを受信および格納するように設定された不揮発性メモリ領域２２を含んでいる。
2009519616.tif 000002
【特許請求の範囲】
【請求項１】
複数のネットワークに複数の手動選択モードを介して接続するように設定され、該採用された選択モードは、移動無線通信装置が動作する国に応じて決定されるように設定された移動無線通信装置。
【請求項２】
前記複数の国々の各々にとって好ましい手動選択モードを格納するように設定された格納手段を含む、請求項１に記載の装置。
【請求項３】
前記好ましい手動選択モードを格納する不揮発性メモリ領域を含む、請求項２に記載の装置。
【請求項４】
前記好ましい手動選択モードは、前記装置のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：汎用加入者識別モジュール）に格納されるように設定された、請求項２に記載の装置。
【請求項５】
前記好ましい手動選択モードは、前記移動無線通信装置に格納された優先リストの一部を形成する、請求項２から４のいずれか１項に記載の装置。
【請求項６】
前記好ましい手動選択モードをネットワーク事業者から受信するように設定された、請求項２から５のいずれか１項に記載の装置。
【請求項７】
移動無線通信装置を複数のネットワークの１つに複数の手動接続モードの１つを介して接続する方法であって、前記移動無線通信装置が動作している国を識別するステップと、前記識別された国に応じて前記複数の手動接続モードのどれを採用するかを決定するステップとを含む方法。
【請求項８】
格納された優先リストの一部を形成する、格納された好ましい手動選択モードを参照するステップを含む、請求項７に記載の方法。
【請求項９】
別個のリストが複数の国々の各々に提供される、請求項８に記載の方法。
【請求項１０】
移動無線通信装置を複数の手動選択モードの１つを介して複数のネットワークの１つに接続するように構成する方法であって、前記移動無線通信装置が動作していることが識別された国に応じて、採用された前記選択モードを決定するように構成するステップを含む方法。
【請求項１１】
好ましい手動選択モードを前記移動無線通信装置内に格納するステップを含む、請求項１０に記載の方法。
【請求項１２】
優先リストを前記移動無線通信装置内に格納するステップを含む、請求項１１に記載の方法。
【請求項１３】
ネットワーク事業者によって構成された選択モードの提供を含む、請求項１０から１２のいずれか１項に記載の方法。
【請求項１４】
前記構成はカスタマイズ化されて供給される請求項１３に記載の方法。
【請求項１５】
前記選択モードは、ユーザインタフェースを介した更新の起動または無効化を通じてネットワーク事業者によって構成される、請求項１３に記載の方法。
【請求項１６】
移動無線通信装置を複数の手動選択モードの１つを介して複数のネットワークの１つに接続するように構成する構成装置であって、前記移動無線通信装置と共に使用し、前記移動無線通信装置が配置された国の識別に応じて決定される選択モードを識別するように設定された構成装置。
【請求項１７】
前記識別された選択モードを前記移動無線通信装置内の格納領域に配信するように設定された、請求項１６に記載の装置。
【請求項１８】
優先リストを前記移動無線通信装置に配信するように設定された、請求項１６または請求項１７に記載の装置。
【請求項１９】
前記構成は、前記装置のカスタマイズ化により、無線サービスを介して生じるように設定された、請求項１６から１８のいずれか１項に記載の装置。
【請求項２０】
前記移動無線通信装置のユーザインタフェースを介した通信により事前選択を無効または移動するように設定された、請求項１６から１８のいずれか１項に記載の装置。
【請求項２１】
添付の図面を参照して本書に記載し、該添付の図面に示したような移動無線通信装置。
【請求項２２】
移動無線通信装置を複数のネットワークの１つに接続し、添付の図面を参照して本書に記載したような方法。
【請求項２３】
前記添付の図面を参照して本書に記載したような移動無線通信装置を構成する方法。
【請求項２４】
移動無線通信装置を構成し、添付の図面を参照して本書に記載したような構成装置。
【発明の詳細な説明】
【技術分野】
【０００１】
本発明は、複数の移動無線通信装置ネットワークの１つに接続するように移動無線通信装置を構成する方法およびその関連装置に関する。
【背景技術】
【０００２】
動作中、移動無線通信装置は、複数の公衆陸上移動ネットワーク（ＰＬＭＮ：Ｐｕｂｌｉｃ  Ｌａｎｄ  Ｍｏｂｉｌｅ  Ｎｅｔｗｏｒｋｓ）の１つへ接続できることが多く、そのための手段は、一般に移動無線通信装置のハンドセット内に備えられており、ハンドセットに利用可能として示されたＰＬＭＮの１つを選択できる、手動による選択手順を可能にしている。
【０００３】
該手動による選択は、特定の選択されたＰＬＭＮが、十分な信号強度または信号品質を備えているかどうかわからない場合、または実際に、禁止されたＰＬＭＮリストからＰＬＭＮを削除するように要求された場合などに、潜在的に有用なツールである。しかしながら、他の状況においては、ＰＬＭＮを選択する方法は、ハンドセットを採用する加入者が最良のネットワークサービスを受けるのを妨げるように機能することがあるので、不都合に制限されていることがわかる。
【０００４】
現在の第３世代標準３ＧＰＰＴＳ  ２３．１２２によれば、１つの手動ＰＬＭＮ選択手順が提案されているが、該手順は、装置のハンドセットが自分自身を該ＰＬＭＮ中に見つかるかもしれない特定のローミングシナリオによって不都合にも制限されていることがわかる。他の制限に加えて、事業者収益も含まれていてよい。
【０００５】
以下に概説するように、現在３つの一般に認識されたローミングシナリオがある。
【０００６】
１つは、いわゆる国内ローミングであり、ハンドセットのホームＰＬＭＮ（ＨＰＬＭＮ）と同じ国において、全国的にどこでもまたは地域別のいずれかで利用可能になるＰＬＭＮから、移動無線通信装置がサービスを受ける場合に生じる。
【０００７】
国際ローミングは、移動無線通信装置が、ＨＰＬＭＮが存在する国とは異なる国からＰＬＭＮのサービスを受けるように設定される場合に生じる。
【０００８】
最後のシナリオは、フレンドリな国際ローミングとして知られており、移動無線通信装置がＨＰＬＭＮのＰＬＭＮとは異なる国のＰＬＭＮのサービスを受けるように設定されるが、特定の関連国はＨＰＬＭＮに「フレンドリな」ＰＬＭＮを提供できることが知られており、例えば、ＰＬＭＮが同一のまたは関連するネットワーク事業者によって提供される場合に存在する。
【０００９】
移動無線通信装置のハンドセットをネットワークに接続する異なるモードを提供する、複数の手動ＰＬＭＮ選択モードも利用可能である。これらのモードについて以下に概説する。
【００１０】
モードIの手動ＰＬＭＮ選択は、３ＧＰＰＴＳ  ２３  １２２２標準を介して提供されるものであり、移動無線通信装置のハンドセットが、どのＰＬＭＮが利用可能であるかをユーザに最初に示すことができるようにしている。いったんユーザが複数のＰＬＭＮの１つを手動選択すると、移動無線通信装置のハンドセットは、次にその選択されたＰＬＭＮの通常のサービスを取得しようとする。いったん選択されると、移動無線通信装置のハンドセットはその選択されたＰＬＭＮにとどまるので、選択されたＰＬＭＮによって提供されたサービスエリアが失われても別のＰＬＭＮを再選択しようとしないことを理解すべきであろう。
【００１１】
モードIIの手動ＰＬＭＮ選択は、どのＰＬＭＮが利用可能であるかをユーザに示す移動無線通信装置が再度必要になる。モードIと同様に、移動無線通信装置は、いったんユーザが手動選択を行った場合にのみ、選択されたＰＬＭＮの通常のサービスを取得しようとする。しかしながら、モードIとモードIIの主な違いは、後者では、移動無線通信装置のハンドセットがローミングしている間、移動無線通信装置は、ＨＰＬＭＮを含むことができる、利用可能な最も優先度の高いＰＬＭＮを周期的に検索することにより、自動接続モード内にとどまることである。このような周期的な検索に続いて、その登録されたＰＬＭＮのサービスエリア外にある場合の再選択中に、移動無線通信装置のハンドセットがＰＬＭＮセレクタリストに従って、優先度の高いＰＬＭＮ（それはもちろん、ハンドセットのホーム国のＨＰＬＭＮである場合が多い）を見つける場合、移動無線通信装置は、この識別されたＰＬＭＮを自動的に選択し、それに登録するだろうことを理解すべきであろう。
【００１２】
最後に、モードIIIでは、モードIに関して説明された手順と類似の手順が続く。しかしながら、手動ＰＬＭＮ選択の間、移動無線通信装置は、ユーザ装置のスイッチが切られる場合は常にスイッチが入っている状態に設定されており、自動モードで動作する。モードIIIの採用は、ユーザが「サービス外」シナリオに組み込まれる状況を回避するのに役立つが、スイッチが入っている状態ではサービスが利用可能な代替のＰＬＭＮを配置することはできない。
【００１３】
上述のごとく、手動選択の現在のモードが利用可能になる方法に関して不都合が生じる。例えば、モードIの手動選択によって提供されたような現在のＧＰＰ実装を介する国内ローミング中に、ユーザは、ＨＰＬＭＮが利用可能であっても、そのＨＰＬＭＮである必要がないＰＬＭＮを永続的に選択することができる。その場合、事業者は収益を失うが、ユーザにも不都合なことに、サービスの減少、またはそうでなければサービスの制限に悩む可能性もある。ユーザはより高いコストに悩むかもしれないが、選択されたＰＬＭＮによるサービスエリアが失われた場合、ユーザは、コストが永続的にサービスに関係しないことが理解できよう。
【発明の開示】
【発明が解決しようとする課題】
【００１４】
本発明は、公知の方法および装置を超える利点を提供する移動無線通信装置の構成方法および装置を提供することを目的としている。
【課題を解決するための手段】
【００１５】
本発明の第１の態様によれば、複数のネットワークに複数の手動選択モードを介して接続するように設定され、該採用された選択モードは、移動無線通信装置が動作する国に応じて決定されるように設定された移動無線通信装置が提供される。
【００１６】
手動モード手順が、移動無線通信装置が配置された国の識別に応答できるようにすることにより、ホーム事業者の収益を保護することができ、実際に移動無線通信装置のユーザが受けるサービス品質を維持することができる。
【００１７】
移動無線通信装置は、複数の国々の各々の好ましい手動選択モードが格納される格納手段を含むのが好ましい。
【００１８】
さらに、本装置は、任意の特定の国に対して示されている好ましいモードがない場合、デフォルトモードに設定することができる。
【００１９】
移動無線通信装置は、好ましい手動選択モードを格納する不揮発性メモリ領域を含んでいるのが好ましい。しかしながら、代替として、好ましい手動選択モードは、ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ：汎用加入者識別モジュール）に配置することができる。
【００２０】
特に、好ましい手動選択モードは、移動無線通信装置に格納された優先リストの一部を形成することができる。
【００２１】
移動無線通信装置は、ネットワーク事業者から、好ましい手動選択モード特に優先リストを受信するように設定することもできる。
【００２２】
本発明の別の態様によれば、移動無線通信装置を複数のネットワークの１つに複数の手動接続モードの１つを介して接続する方法であって、該移動無線通信装置が動作している国を識別するステップと、識別された国に応じて複数の手動接続モードのどれを採用するかを決定するステップとを含む方法が提供される。
【００２３】
上記のように、本発明は、関係国には不適切であると実際にわかることもあり、かつホーム事業者の収益およびユーザが受けるサービス品質に対して潜在的に不利益をもたらすような、選択されている手動選択モードを有利に回避する。
【００２４】
好ましくは、本方法は、格納された好ましい手動選択を参照するステップを含み、特に手動選択モードは、その中の別個のリストが複数の国々の各々に提供される格納された優先リストの一部を形成することができる。
【００２５】
本発明は、万一いかなる特定の国も好ましい手動選択モードを提供しない場合、デフォルトモードを提供するステップを含むこともできる。
【００２６】
本発明のさらに別の態様によれば、移動無線通信装置を複数の手動選択モードの１つを介して複数のネットワークの１つに接続するように構成する方法であって、該移動無線通信装置が動作していることが識別された国に応じて採用された選択モードを決定するように構成するステップを含む方法が提供される。
【００２７】
本方法は、好ましい手動選択モードを移動無線通信装置内に格納するステップを含むのが好都合である。
【００２８】
特に、本方法は、優先リストを移動無線通信装置内に格納するステップを含んでいる。
【００２９】
特に、移動無線通信装置を構成する本方法は、ネットワーク事業者によって構成された選択モードの提供を含んでいる。
【００３０】
好都合に、このような構成はカスタマイズ化して供給することができ、および無線サービスを介して提供することもできる。
【００３１】
他の選択肢として、該選択は、ネットワーク事業者が構成することができ、ユーザインタフェースを介して更新を起動または無効化により提供することができる。
【００３２】
本発明のさらなる態様によれば、移動無線通信装置を複数の手動選択モードの１つを介して複数のネットワークの１つに接続するように構成する構成装置であって、該移動無線通信装置と共に使用し、該移動無線通信装置が配置された国の識別に応じて決定される選択モードを識別するように設定された構成装置が提供される。
【００３３】
本構成装置は、識別された選択モードを移動無線通信装置内の格納領域に配信するように設定されているのが好都合である。
【００３４】
特に、本構成装置は、移動無線通信装置に優先リストを配信するように設定することができる。
【００３５】
さらに、本構成装置は、ネットワーク事業者を介して、移動無線通信装置内で使用されるように設定された選択モードの識別を提供するように設定することができる。
【００３６】
特に、該選択はカスタマイズ化して構成することができ、および無線サービスを介して提供することができる。
【００３７】
あるいは、本構成装置は、移動無線通信装置のユーザインタフェースを介した通信により事前選択を無効または移動するように設定することができる。
【００３８】
したがって、本発明は、例えば移動無線通信装置の不揮発性メモリ領域に格納され、国別にソートすることができる手動モード優先リストを提供できることが理解されるであろう。特に、該ソートは移動国コード（ＭＣＣ）に基づいて行われる。
【００３９】
その後、手動ＰＬＭＮ選択を行う場合、移動無線通信装置は、該移動無線通信装置が、すなわち上で説明したモードI、モードII、またはモードIIIの好ましい１つに存在していることが識別された国の好ましい選択モードに従って機能する。
【００４０】
好都合なことに、しかしながら、移動無線通信装置が見つかる国へのエントリがないか、または該移動無線通信装置がそのような国を決定することができない場合、モードIのようなデフォルトモードが優先権をとることができる。
【００４１】
当然ではあるが、該優先リストは、ユーザが手動ＰＬＭＮ選択を試みる場合は常に参照および採用されることを理解すべきであろう。
【発明を実施するための最良の形態】
【００４２】
本発明は、本発明の態様を具体化する移動無線通信装置のハンドセットの概略図を含む添付の図面を参照して、例としてのみさらに以下に説明される。
【００４３】
ここで図１に目を向けると、標準的方法でプロセッサ１８およびメモリ２０に動作可能に接続された送／受信回路１６に接続されているアンテナ１４を備えたハンドセット１２を含む移動無線通信装置１０が示されている。
【００４４】
さらに、ハンドセット１２は、国別に、各国ごとに採用される好ましい手動ＰＬＭＮ選択モードを示した優先リストを、受信および格納するように配置された不揮発性メモリ領域２２を含んでいる。
【００４５】
したがって、ハンドセット１２が、特定の国にあるそれ自身を識別する場合、不揮発性メモリ２２の内容がその国に関連する優先リストを識別するために参照され、それにより、例えば、ホーム事業者の収益を保持し、ハンドセット１２のユーザへのサービス品質も維持するように、最も適切なモードを介してＰＬＭＮの選択を求める。
【００４６】
この例示した例に関して述べたように、優先リストは不揮発性メモリ２２内に格納されるが、代替として、ハンドセット１２のＵＳＩＭ（図示せず）内に配置することもできる。しかしながら、優先リストの特定の機能は、ハンドセット１２の電源が切られても残るように、不揮発的方法で格納されるということである。
【００４７】
本発明の特に有利な態様によれば、優先リストは、ネットワーク事業者によってカスタマイズ化段階で構成され、無線サービスを介して提供することができる。随意に、ハンドセットのユーザインタフェースを介して、既存のエントリを無効または削除できることがわかる。これにより、エントリの追加、またはデフォルト手動選択モードへの変更も可能になる。
【００４８】
特に、不揮発性メモリ２２に格納された優先リストは、一般に２つの部分から成る。
【００４９】
まず、ハンドセット１２のＨＰＬＭＮの国の優先権を示す働きをするフィールドが提供される。ＨＰＬＭＮの国に対応するＭＣＣは、国際移動電話加入者識別番号（ＩＭＳＩ）の一部であるので、ＭＣＣがそのリスト中で繰り返される必要はない。上記のように、該フィールドで見つけられるエントリがない場合には、モードIをデフォルトモードと仮定することができる。
【００５０】
優先リストの第２の部分は、ＭＣＣ／モードの組み合わせがリストされる第２のフィールドを含んでいる。再び、リストされたＭＣＣに関連モードがない場合には、モードIをデフォルトモードと仮定することができる。これから理解できるように、リストが不揮発性メモリ内だけに実装される状況に対し、ハンドセット１２のＵＳＩＭ（図示せず）が変更される場合には、リストは削除され、デフォルトモード、例えばモードIがすべての手動ＰＬＭＮ選択に対し仮定される。
【００５１】
このことから理解できるように、本発明は、ハンドセットが国内ローミングであるか、またはフレンドリな国際ローミングを追求している場合、事前のネットワーク事業者構成によって、例えば自動再選択の何らかの形式が常に試みられるように、手動選択をモードII選択に制限することを容易に決定することができる点において特に有利である。
【００５２】
これから理解できるように、本発明は、ネットワーク事業者が使用する構成ツールを提供して、優先権を示し、かつハンドセットが国別にそのＰＬＭＮを手動で選択できる方法を決定することができる。例えば、１つのネットワークが、ＰＬＭＮのホーム国だけでなく特定のネットワークが存在する国々においても、ユーザがＰＬＭＮを手動で選択できる方法を制限するように要求される場合、ネットワーク事業者は、それらの国々のその優先リストの一番上にあるモードII選択を示す。しかしながら、デフォルトモードが任意のそのような国々に対して選択される場合でも、他の国々に対する制限は示されなくてよい。
【図面の簡単な説明】
【００５３】
【図１】本発明の実施形態の例を示している。
【図１】
2009519616.tif 000003
【国際調査報告】
2009519616.tif 000004